(57)【要約】【課題】  絵文字を表示する際に、条件に応じて表示イメージを切り替え可能とし、絵文字において多様な表現を実現可能にする。【解決手段】  コンテンツ解析部１３は、コンテンツ取得部１２によって取得したコンテンツを解析し、絵文字コードを抽出する。絵文字決定部１４は、絵文字コード毎に設定された条件と表示イメージとを対応付けた絵文字コード変換テーブル２４を有しており、設定された各種条件に従って、条件に合致した表示イメージを決定する。例えば、絵文字決定部１４は、受信したニュースコンテンツの天気情報が晴れの場合は、絵文字コードに対応する表示イメージとして晴れのマークに決定し、天気情報が雨の場合は傘のマークに決定する。決定された表示イメージは、所定位置にレイアウトされ、表示部１６によって画面上に表示される。【選択図】  図１
2007047855.tif 000002
【特許請求の範囲】
【請求項１】
絵文字コードを含むコンテンツを取得するコンテンツ取得手段と、
取得した前記コンテンツを解析して前記絵文字コードを抽出するコンテンツ解析手段と、
各絵文字コードに対応して設定した複数の選択肢を持つ条件とこの条件の各選択肢に対応する表示イメージとの情報を記憶する絵文字コード情報記憶手段と、
前記絵文字コードに対応して割り当てる表示イメージを、前記設定された条件を判定して決定する絵文字決定手段と、
前記決定した表示イメージの絵文字を含むコンテンツを表示する表示手段と、
を備える情報端末装置。
【請求項２】
請求項１に記載の情報端末装置であって、
前記絵文字コード情報記憶手段は、前記条件として、配信情報内容、時間、装置の動作状態、位置情報、ランダムに発生する事象のうちの少なくとも一つを含む条件を記憶し、この条件にそれぞれ対応して設定された表示イメージを記憶する情報端末装置。
【発明の詳細な説明】
【技術分野】
【０００１】
本発明は、絵文字を表示することができる情報端末装置に関する。
【背景技術】
【０００２】
最近において、ＰＣ（パーソナルコンピュータ）用や携帯電話装置用の電子メールやＨＴＭＬコンテンツ等のＷｅｂコンテンツ等では、絵文字と呼ばれる、絵によって表現された記号を一つの文字として使用できるようになっている。絵文字は、文字コード体系中のある範囲内の文字を用いた文字コードによって、それがどのような絵として表現されるかの対応関係が規定されている（例えば、特許文献１参照）。
【０００３】
また、電子メール等のメッセージの中に絵文字の代わりにイメージ情報を含むシールを貼り付け、サーバ側でシールのイメージ情報を設定しておき、日、時間等によって表示イメージを変更するものが提案されている（例えば、特許文献２参照）。
【０００４】
従来、文字コードと表現される絵（表示イメージ）とは１対１に対応付けられていた。また、文字コードに対応付けられた絵（表示イメージ）として、アニメーション表示を行うものなどはあった。しかしながら、１対１に対応付けられた絵（表示イメージ）を、条件に応じて変化させることなどはできないため、表現が限られていた。
【０００５】
また、上記特許文献２のようなサーバ側で表示イメージを設定して変化させるものでは、伝送するメッセージのデータ量が多くなるとともに、サーバ、端末、通信経路などにおいてデータ処理に多くのリソースが必要になる。
【０００６】
【特許文献１】特開２００４−１５１７７４号公報
【特許文献２】特開２００４−３５６８０５号公報
【発明の開示】
【発明が解決しようとする課題】
【０００７】
本発明は、上記事情に鑑みてなされたもので、絵文字を表示する際に、条件に応じて表示イメージを切り替えることが可能であり、絵文字において多様な表現を実現することが可能な情報端末装置を提供することを目的とする。
【課題を解決するための手段】
【０００８】
本発明の情報端末装置は、絵文字コードを含むコンテンツを取得するコンテンツ取得手段と、取得した前記コンテンツを解析して前記絵文字コードを抽出するコンテンツ解析手段と、各絵文字コードに対応して設定した複数の選択肢を持つ条件とこの条件の各選択肢に対応する表示イメージとの情報を記憶する絵文字コード情報記憶手段と、前記絵文字コードに対応して割り当てる表示イメージを、前記設定された条件を判定して決定する絵文字決定手段と、前記決定した表示イメージの絵文字を含むコンテンツを表示する表示手段と、を備えるものである。
【０００９】
これにより、絵文字を表示する際に、条件に応じて表示イメージを切り替えることが可能であり、絵文字において多様な表現を実現することが可能となる。
【００１０】
また、本発明は、上記の情報端末装置であって、前記絵文字コード情報記憶手段は、前記条件として、配信情報内容、時間、装置の動作状態、位置情報、ランダムに発生する事象のうちの少なくとも一つを含む条件を記憶し、この条件にそれぞれ対応して設定された表示イメージを記憶するものとする。
【００１１】
これにより、配信情報内容、時間、装置の動作状態、位置情報、ランダムに発生する事象などの、コンテンツに含まれる条件や装置に含まれる条件、あるいは外部の条件などの種々の条件に応じて、情報端末装置側で絵文字コードに対応する表示イメージを変更することができる。
【発明の効果】
【００１２】
本発明によれば、絵文字を表示する際に、条件に応じて表示イメージを切り替えることが可能であり、絵文字において多様な表現を実現することが可能な情報端末装置を提供できる。
【発明を実施するための最良の形態】
【００１３】
図１は本発明の実施形態に係る情報端末装置及びその周辺構成を示すブロック図である。本実施形態の情報端末装置１０は、例えば携帯電話装置等の携帯型の情報端末装置等に好適に用いられるものである。
【００１４】
情報端末装置１０は、通信部１１と、コンテンツ取得部１２と、コンテンツ解析部１３と、絵文字決定部１４と、レイアウト部１５と、表示部１６と、ニュース情報取得部１７と、時間管理部１８と、装置状態取得部１９と、位置情報取得部２０と、乱数取得部２１とを有して構成されている。
【００１５】
情報端末装置１０は、インターネット、移動体通信網、電話網などを含む通信ネットワーク１に接続されており、また通信ネットワーク１にはニュース配信サーバ装置２、コンテンツサーバ装置３、端末装置４、メールサーバ装置５がそれぞれ接続されている。
【００１６】
ニュース配信サーバ装置２は、通信部２ａとニュース配信部２ｂとを有し、ニュース情報を配信する。コンテンツサーバ装置３は、通信部３ａとコンテンツ配信部３ｂとを有し、例えばＨＴＭＬファイル等の画像、文字、音声等を含むコンテンツを配信する。端末装置４は、通信部４ａとコンテンツ配信部４ｂとを有し、例えば電子メール等のメールコンテンツをメールサーバ装置５に送出する。メールサーバ装置５は、通信部５ａとメール送受信部５ｂとを有し、端末装置４からのメールコンテンツを受信し、メール送信相手先の端末装置にメールコンテンツを配信する。
【００１７】
情報端末装置１０内のコンテンツ取得部１２は、コンテンツ取得手段の一例に相当するもので、通信部１１を介して、ニュース配信サーバ装置２から配信されるニュース情報、コンテンツサーバ装置３から配信される各種コンテンツ、メールサーバ装置５から配信されるメールコンテンツ等のコンテンツを取得して記憶する。情報端末装置１０内のコンテンツ解析部１３は、コンテンツ解析手段の一例に相当するもので、コンテンツ取得部１２によって取得したコンテンツの内容を解析する。
【００１８】
絵文字決定部１４は、絵文字コードと表示イメージとの変換情報を記憶した絵文字コード変換テーブル２４を有している。この絵文字コード変換テーブル２４は、絵文字コード毎に設定された複数の選択肢を持つ条件とこの条件の各選択肢に対応する表示イメージとを対応付けた情報を格納したもので、絵文字コード情報記憶手段の一例に相当する。絵文字決定部１４は、絵文字決定手段の一例に相当するものであり、絵文字コードに設定された条件を判定し、この判定した条件の選択肢に従って、当該絵文字コードに対応して割り当てる表示イメージを決定する。レイアウト部１５は、コンテンツを表示するためのレイアウトを決定する。表示部１６は、液晶表示装置等を有して構成され、表示手段の一例に相当するものであり、前記レイアウトされたコンテンツを表示する。
【００１９】
また、ニュース情報取得部１７は、通信部１１を介してニュース配信サーバ装置２からのニュース情報を取得する。時間管理部１８は、日時等を管理しており、日付、時刻等の時間情報を絵文字決定部１４へ供給する。装置状態取得部１９は、携帯型端末（移動機）等である情報端末装置１０の動作状態を取得し、動作状態の情報を絵文字決定部１４へ供給する。位置情報取得部２０は、ＧＰＳ受信装置及び地図データベース等を備え、情報端末装置１０の現在位置情報を絵文字決定部１４へ供給する。乱数取得部２１は、絵文字決定部１４からの乱数取得要求に基づいて乱数を取得し、取得した乱数を絵文字決定部１４へ供給する。
【００２０】
図２及び図３は絵文字コードに対応する条件及び表示イメージを設定した絵文字コード変換テーブル２４の具体例を示す図である。本実施形態の絵文字コード変換テーブル２４には、ユニコード（Unicode）で表記された絵文字コードに対して、各種の条件と、それぞれの条件に対応する表示イメージとが予め設定されて格納されている。
【００２１】
図２に示すように、絵文字コード「Ｅ０００」には、条件として配信情報内容が設定されており、ニュース配信情報内の天気情報が晴れの場合は表示イメージとして晴れを示す絵文字が設定され、天気情報が雨の場合は雨を示す絵文字が設定されている。
【００２２】
絵文字コード「Ｅ００１」には、条件として時間が設定されており、１日の時刻が５時から１７時５９分までの間の場合は昼を示す太陽のマークが設定され、１日の時刻が１８時から４時５９分までの間の場合は夜を示す月のマークが設定されている。
【００２３】
絵文字コード「Ｅ００２」には、条件として情報端末装置１０の動作状態が設定されており、オーディオが再生中の場合は音符マークがアニメーション表示される表示イメージが設定され、オーディオが停止中の場合は音符マークが静止した状態の表示イメージが設定されている。
【００２４】
図３に示すように、絵文字コード「Ｅ００３」には、名産物と位置情報が条件として設定されており、位置情報が青森の場合はりんごの表示イメージが設定され、位置情報が北海道の場合はかにの表示イメージが設定されている。
【００２５】
絵文字コード「Ｅ００４」には、建築物と位置情報が条件として設定されており、位置情報が青森の場合は青森を代表する建築物の表示イメージ（図示省略）が設定され、位置情報が北海道の場合は北海道を代表する建築物の表示イメージ（図示省略）が設定されている。
【００２６】
絵文字コード「Ｅ００５」には、ランダムに発生する事象の例として、おみくじとその結果が条件として設定されており、今日の運勢を示すように、大吉の場合は大吉のマークが設定され、大凶の場合は大凶のマークが設定されている。
【００２７】
絵文字コード「Ｅ００６」には、ランダムに発生する事象の例として、星座占い（ラッキーカラー）とその結果が条件として設定されており、今日のラッキーカラーを示すように、結果の各色に対応してそれぞれの色表示イメージが設定されている。
【００２８】
図４は本発明の実施形態に係る情報端末装置の動作を示すフローチャートである。まず、コンテンツ取得部１２によって各種コンテンツが取得する（ステップＳ１）。コンテンツが取得されると、コンテンツ解析部１３によって、取得したコンテンツの解析を行い（ステップＳ２）、絵文字コードを抽出する（ステップＳ３）。上記の例では、コンテンツの中からユニコードの絵文字コードが抽出される。
【００２９】
次に、絵文字決定部１４は、取得された絵文字コードによって絵文字コード変換テーブル２４を検索して（ステップＳ４）、絵文字コードに対応付けられた配信情報内容、時間、装置の動作状態、位置情報、ランダムに発生する事象などの条件を認識し、その条件を判定する。そして、判定した条件に基づいて対応する表示イメージを決定する（ステップＳ５）。そして、レイアウト部１５によって絵文字の表示イメージのレイアウトを行い（ステップＳ６）、レイアウトされたコンテンツイメージを表示部１６によって表示する（ステップＳ７）。
【００３０】
このように、一つの絵文字コードに対して、複数の選択肢を持つ条件とこの条件の各選択肢に対応する表示イメージとを設定し、条件に応じて表示イメージを表示することで、条件によって絵文字表示を切り替えて変化させることができ、絵文字表示の表示態様を多様化させることができる。
【００３１】
図５は絵文字表示の第１例として、ニュース配信サービスの配信情報内容と連動した絵文字の表示例を示す図である。ニュース配信サーバ装置２から配信されて受信したＨＴＭＬ（Hyper Text Markup Language）によるニュースコンテンツには、本日の天気を絵文字（絵文字コード「Ｅ０００」）で表示することが記述されている。絵文字決定部１４は、絵文字コード「Ｅ０００」の条件がニュース配信情報内の天気情報であるので、ニュース情報取得部１７によって取得された天気情報に基づいて表示イメージを決定する。ニュース配信情報の天気情報が晴れであれば、表示部１６のディスプレイ（表示装置）に本日の天気として晴れのマークが表示され、天気情報が雨であれば、本日の天気として傘のマークが表示される。なお、配信情報内容としては、天気情報に代えて、他のニュース情報などにも同様に適用可能である。
【００３２】
図６は絵文字表示の第２例として、時間と連動した絵文字の表示例を示す図である。端末装置４からメールサーバ装置５を介して配信されて受信したメールコンテンツには、絵文字コード「Ｅ００１」が含まれている。絵文字決定部１４は、絵文字コード「Ｅ００１」の条件が時間であるので、時間管理部１８から現在の時刻を取得する。図２に示したように、絵文字「Ｅ００１」には時間の条件が付けられており、１日の時刻が５時から１７時５９分までの間は昼間を示す太陽のマークが設定されており、１日の時刻が１８時から４時５９分までの間は夜を示す月のマークが設定されている。したがって、現在の時刻が例えば１２時であればメール本文中の絵文字の位置に太陽のマークが表示され、現在の時刻が例えば２２時であれば月のマークが表示される。なお、本実施形態では、夜であることを強調するために、メール本文の背景を絵文字表示と共に時間によって変化させるようにしている。
【００３３】
図７は絵文字表示の第３例として、装置の動作状態と連動した絵文字の表示例を示す図である。コンテンツサーバ装置３から配信されて受信したＳＭＩＬ（Synchronized Multimedia Integration Language）によるマルチメディアコンテンツ（ＳＭＩＬコンテンツ）には、１つのスライドによるコンテンツの再生開始後、３秒間オーディオが再生されることが記述されている。また、このＳＭＩＬコンテンツには、絵文字コード「Ｅ００２」が含まれている。図２に示したように、絵文字コード「Ｅ００２」は、オーディオが再生中の場合は音符マークをアニメーション表示するよう指定している。したがって、オーディオ再生中は音符マークがアニメーション表示され、オーディオ停止中は音符マークが静止画として表示される。
【００３４】
ここで、オーディオが再生中であるか否かは、装置状態取得部１９によって検出され、その動作状態判定情報が絵文字決定部１４に供給される。なお、オーディオの再生動作に代えて、バイブレータ動作などにも同様に適用可能である。
【００３５】
また、装置の動作状態と連動する他の例として、情報端末装置１０の通信部１１によるパケット通信状態によって表示イメージを切り替えることもできる。例えば、パケット網に対する接続中、接続確率、送信、受信、接続切断などの各状態によって、コンテンツの絵文字表示を変化させる。
【００３６】
図８は絵文字表示の第４例として、位置情報と連動した絵文字の表示例を示す図である。コンテンツサーバ装置３から配信されて受信したＨＴＭＬによる情報コンテンツには、名産と絵文字コード「Ｅ００３」が含まれている。図３に示したように、絵文字コード「Ｅ００３」は、名産物と位置情報が条件として設定されており、位置情報が青森の場合はりんごの表示イメージが設定され、位置情報が北海道の場合はかにの表示イメージが設定されている。したがって、位置情報取得部２０によって取得した位置情報が青森の場合はりんごの絵が表示され、位置情報が北海道の場合はかにの絵が表示される。なお、位置情報取得部２０は、ＧＰＳ受信装置及び地図データベース等を備え、ＧＰＳ受信装置によって得られた緯度・経度情報から現在の地域情報を求め、取得した地域情報を絵文字決定部１４へ供給する。
【００３７】
図９は絵文字表示の第５例として、くじ機能や占い機能と連動した絵文字の表示例を示す図である。端末装置４からメールサーバ装置５等を介して配信されて受信したメールコンテンツには、絵文字コード「Ｅ００５」が含まれている。図３に示したように、絵文字コード「Ｅ００５」には条件としておみくじが設定されている。絵文字決定部１４は、条件としておみくじが設定されていることを認識すると、乱数取得部２１を起動させ乱数を取得する。そして、絵文字決定部１４は、取得した乱数と予め設定した数値範囲とに基づいておみくじの結果（大吉または大凶）を判定することでくじ機能を実現する。これにより、今日の運勢として、おみくじの結果が大吉の場合は大吉のマークが表示され、おみくじの結果が大凶の場合は大凶のマークが表示される。
【００３８】
また同様に、図３に示した絵文字コード「Ｅ００６」を用いて、乱数によって色を判定することで、星座占いなどの占い機能を実現する。これにより、今日のラッキーカラーとして、占いの結果が赤色の場合は赤色のカラーマークが表示され、青色の場合は青色のカラーマークが表示され、緑色の場合は緑色のカラーマークが表示され、黄色の場合は黄色のカラーマークが表示される。上記のようなくじ機能や占い機能等のランダムに発生する事象は、時間の条件において各選択肢に対応する時間がそれぞれ別のランダムなものとして考えて、各選択肢をランダムに選択するようなものとみなすこともできる。
【００３９】
なお、上記実施形態では、絵文字コード変換テーブル２４において、一つの絵文字コードに対して、一種類の条件とその条件の各選択肢に対応する表示イメージを設定しているが、これに限るものではない。例えば、一つの絵文字コードに対して複数種類の条件（例えば、位置情報と天気情報、時間と位置情報など）を組み合わせて設定し、各条件の選択肢の組み合わせごとに表示イメージを設定しておき、条件によって多様な表示イメージを切り替えるようなことも可能である。
【００４０】
また、条件に応じた表示イメージの切り替えは、イメージ自体を変更するだけでなく、色を切り替えたり、アニメーションの態様を切り替えるようなものであってもよい。
【００４１】
また、コンテンツ取得部１２は、通信部１１を介してデータ通信によりコンテンツを取得するものに限らない。例えば、内蔵のメモリに記憶されているコンテンツを取得したり、着脱可能なメモリカードなどの記憶媒体を装着してこの記憶媒体からコンテンツを取得するような構成であってもよい。
【００４２】
上記のように、本実施形態では、一つの絵文字コードに対して、複数の選択肢を持つ条件とこの条件の各選択肢に対応する表示イメージを予め対応付けて設定し、条件に応じて異なる表示イメージを表示することにより、配信情報内容、時間、装置の動作状態、位置情報、ランダムに発生する事象などの各種条件に従って絵文字の表示イメージを切り替えて変化させることができる。このため、絵文字表示を行う際の表示態様を多様化させることができ、使用者にとって興味が引かれる面白いサービスの提供が可能となる。
【００４３】
また、本実施形態では、コンテンツの表示イメージを変化させるしくみとして、変化する表示イメージのデータそのものをコンテンツ中に含めて配信するのではなく、絵文字関連のデータとしては絵文字コードのみを配信し、情報端末装置側で条件によって表示イメージを変化させるようにしている。絵文字コードは、例えばユニコードでは２バイトのみで表現できる。このため、伝送するデータ量を削減できるとともに、データ処理に必要なソフトウェア及びハードウェアのリソースを削減でき、少ないリソースによって多様な絵文字表示が実現可能である。
【産業上の利用可能性】
【００４４】
本発明は、絵文字を表示する際に、条件に応じて表示イメージを切り替えることが可能であり、絵文字において多様な表現を実現することが可能となる効果を有し、絵文字を表示することができる情報端末装置等に有用である。
【図面の簡単な説明】
【００４５】
【図１】本発明の実施形態に係る情報端末装置及びその周辺構成を示すブロック図
【図２】絵文字コードに対応する条件及び表示イメージを設定した絵文字コード変換テーブルの具体例を示す図
【図３】絵文字コードに対応する条件及び表示イメージを設定した絵文字コード変換テーブルの具体例を示す図
【図４】本発明の実施形態に係る情報端末装置の動作を示すフローチャート
【図５】絵文字表示の第１例として、ニュース配信サービスの配信情報内容と連動した絵文字の表示例を示す図
【図６】絵文字表示の第２例として、時間と連動した絵文字の表示例を示す図
【図７】絵文字表示の第３例として、装置の動作状態と連動した絵文字の表示例を示す図
【図８】絵文字表示の第４例として、位置情報と連動した絵文字の表示例を示す図
【図９】絵文字表示の第５例として、くじ機能や占い機能と連動した絵文字の表示例を示す図
【符号の説明】
【００４６】
１０  情報端末装置
１１  通信部
１２  コンテンツ取得部
１３  コンテンツ解析部
１４  絵文字決定部
１５  レイアウト部
１６  表示部
１７  ニュース情報取得部
１８  時間管理部
１９  装置状態取得部
２０  位置情報取得部
２１  乱数取得部
【図１】
2007047855.tif 000003
【図２】
2007047855.tif 000004
【図３】
2007047855.tif 000005
【図４】
2007047855.tif 000006
【図５】
2007047855.tif 000007
【図６】
2007047855.tif 000008
【図７】
2007047855.tif 000009
【図８】
2007047855.tif 000010
【図９】
2007047855.tif 000011